【手続補正書】
【提出日】平成17年12月20日(2005.12.20)
【手続補正１】
【補正対象書類名】特許請求の範囲
【補正対象項目名】全文
【補正方法】変更
【補正の内容】
【特許請求の範囲】
【請求項１】
ハンドル（２）、ならびに植毛フィラメント（３）および可撓性構造体（６，６’，２２）を備えた頭部（１）を有する歯ブラシであって、
前記可撓性構造体は、前側および後側を有し、前記可撓性構造体よりも硬質の材料で構成されかつ前記後側が前記頭部に対面する状態で前記頭部に連結された板状担持要素（５）に取り付けられ、かつ
前記植毛フィラメントは、前記担持要素および／または可撓性構造体内の植毛受け切欠きへ案内され、前記植毛フィラメントの後端で溶融、溶接または接着により結合され、かつ前記担持要素または前記可撓性構造体の後側に連結されている、歯ブラシ。
【請求項２】
前記担持要素と前記頭部間は弛緩不可に結合されている、請求項１の歯ブラシ。
【請求項３】
前記担持要素は前記頭部と同一材料により構成されている、請求項１の歯ブラシ。
【請求項４】
前記担持要素と前記頭部間の弛緩不可の結合は、挟持、スナップ式結合、リベット結合、接着剤結合、溶接、超音波溶接、または加熱結合による、請求項２の歯ブラシ。
【請求項５】
前記可撓性構造体および前記担持要素は二成分または多成分射出成形により形成され、かつ弛緩不可に結合されている、請求項１の歯ブラシ。
【請求項６】
前記担持要素の材料はポリプロピレン（PP)、スチレンアクリロニトリル（SAN)、アクリロニトリルブタジエンスチレン(ABS)、イソプラスト（登録商標）またはポリエステル(PET)である、請求項１の歯ブラシ。
【請求項７】
前記頭部は、前記担持要素の形状に適合する担持要素受け切欠き（１３）を有し、かつ前記担持要素は前記担持要素受け切欠きへ挿入されかつ前記頭部へ弛緩不可に結合されている、請求項１の歯ブラシ。
【請求項８】
前記可撓性構造体は天然ゴムまたは合成ゴムで構成されている、請求項１の歯ブラシ。
【請求項９】
前記可撓性構造体は熱可塑性エラストマで構成されている、請求項１の歯ブラシ。
【請求項１０】
前記可撓性構造体は９０未満のショア硬度Ａを有する材料で構成されている、請求項１の歯ブラシ。
【請求項１１】
前記可撓性構造体は植毛を含まない少なくとも一つの可撓性洗浄要素を含む、請求項１の歯ブラシ。
【請求項１２】
前記担持要素は担持要素全体にまたは部分的に延在する少なくとも一つの洗浄要素受け切欠きを有し、前記洗浄要素は前記洗浄要素受け切欠き内に固定されている、請求項１１の歯ブラシ。
【請求項１３】
前記植毛受け切欠きは前記担持要素内に直接配置されかつ植毛フィラメントを有する、請求項１２の歯ブラシ。
【請求項１４】
植毛を含まない前記洗浄要素は前記担持要素上で中央に配置されたシート状要素を含む、請求項１１の歯ブラシ。
【請求項１５】
少なくとも一つの前記植毛受け切欠きが前記可撓性構造体内に配置されかつ弾性的に固定された植毛フィラメントを具備する、請求項１の歯ブラシ。
【請求項１６】
複数の植毛受け切欠きが前記可撓性構造体の共通領域に配設されかつ隣接して植毛フィラメント群を形成する植毛フィラメントを具備する、請求項１５の歯ブラシ。
【請求項１７】
前記担持要素内に直接配置されかつ植毛フィラメントを具備した複数の植毛受け切欠きを更に含む、請求項１５の歯ブラシ。
【請求項１８】
前記頭部と前記担持要素間の接触領域は可撓性材料により被覆されている、請求項１の歯ブラシ。
【請求項１９】
前記可撓性材料は水の浸入に対して前記接触領域を封鎖する、請求項１の歯ブラシ。
【請求項２０】
前記可撓性構造体は前記担持要素上で側方に配置された領域を含み、前記領域は、前記担持要素が前記頭部へ取り付けられた状態で、前記頭部の外形で側方に終端するかまたは前記頭部から突出している、請求項１の歯ブラシ。
【請求項２１】
前記領域は水の浸入に対して前記頭部と前記担持要素間の接触領域を封鎖する、請求項２０の歯ブラシ。
【請求項２２】
前記頭部は少なくとも一つの側方開口を含み、前記開口の形状は前記担持要素上で側方に配置された領域に適合している、請求項２０の歯ブラシ。
【請求項２３】
前記担持要素は、組み立て時に前記頭部と接触することにより超音波溶接時に溶接境界線として作用し、かつ超音波の影響下で溶融して前記担持要素を前記頭部へ連結する縁部を、後側に含む、請求項１の歯ブラシ。
【請求項２４】
前記縁部は先細りである、請求項２３の歯ブラシ。
【請求項２５】
前記可撓性構造体は溶接境界線により形成された領域内に配置されている、請求項２３の歯ブラシ。
【請求項２６】
前記溶接境界線は前記可撓性材料から自由である、請求項２３の歯ブラシ。
【請求項２７】
前記可撓性構造体を形成するための射出点は前記担持要素の前側に選択されている、請求項５の歯ブラシ。
【請求項２８】
ハンドルおよび頭部を準備し、
前側および後側を有する担持要素を準備し、
前記担持要素へ可撓性構造体を取り付け、前記担持要素は前記可撓性構造体よりも硬い材料で形成される、
複数の植毛フィラメントを準備し、かつ前記担持要素および／または前記可撓性構造体内の植毛受け切欠きへ前記植毛フィラメントを案内し、
前記植毛フィラメントを前記担持要素および／または前記可撓性構造体の後側へ植毛フィラメントの後端を溶融、溶接、または接着剤結合により固着することを含む歯ブラシ製造方法。
【請求項２９】
前記担持要素と前記頭部を相互に対して弛緩不可に結合することを更に含む、請求項２８の製造方法。
【請求項３０】
前記担持要素と前記頭部を挟持、スナップ式結合、リベット結合、接着剤結合、溶接、超音波溶接または加熱により結合することを更に含む、請求項２８の製造方法。
【請求項３１】
前記担持要素を前記頭部へ固着する前に、前記植毛フィラメントをカットしかつ／または丸くしかつ／または他の方法により使用できる状態にすることを更に含む、請求項２８の製造方法。
【請求項３２】
前記植毛フィラメントを前記担持要素および／または前記可撓性構造体へ固着する前に、前記植毛フィラメントをカットしかつ／または丸くしかつ／または他の方法により使用できる状態にすることを更に含む、請求項３１の製造方法。
【請求項３３】
前記可撓性構造体および前記担持要素を二成分射出成形により形成することを含む、請求項２８の製造方法。
【請求項３４】
前記可撓性構造体と前記担持要素との間を弛緩不可に結合することを含む、請求項２８の製造方法。
【請求項３５】
植毛被覆作業および前記可撓性構造体の製造後に、前記担持要素を前記頭部内の切欠きへ挿入しかつ前記担持要素を弛緩不可に前記頭部へ結合することを更に含む、請求項２８の製造方法。
【請求項３６】
前記可撓性材料の射出点を前記担持要素の前側に選択することを更に含む、請求項２８の製造方法。
【請求項３７】
後側に縁部を有する前記担持要素を製造しかつそれを前記頭部へ超音波溶接により結合することを更に含み、前記縁部を前記頭部へ誘導しかつ超音波溶接時に溶接境界線として使用する、請求項２８の製造方法。
【請求項３８】
前記頭部と前記担持要素間の接触領域を接触領域の少なくとも２５％の範囲で共に溶接することを更に含む、請求項３７の製造方法。
【請求項３９】
前記頭部と前記担持要素とを前記頭部の長手方向において前後領域で共に溶接しかつ側領域を溶接しないで残すことを更に含む、請求項３７の製造方法。
【請求項４０】
前記頭部および前記担持要素を点状に共に溶接しかつその間の領域を溶接しないで残すことを更に含む、請求項３７の製造方法。
【請求項４１】
前記頭部と前記担持要素とを前記担持要素の周辺に沿って共に溶接しかつある領域を溶接しないで残すことを更に含む、請求項３７の製造方法。
【請求項４２】
前記頭部と前記担持要素間の接触領域を可撓性材料により被覆することにより封鎖することを更に含む、請求項２８の製造方法。